(57)【要約】【課題】金属イオンによる殺菌効果と、光照射による作用とが重畳した便器設備を提供することを目的とする。【解決手段】ノズル３０によって人体臀部を温水で洗浄するときには、ノズル３０の噴出口３６を上向きの状態とし、シリンダ３２へ温水を供給し、ノズル本体３４を前進させ、噴出口３６から温水を上方に噴出させる。この際、銀イオン添加手段を作動させると、銀イオンを含んだ温水で臀部が洗浄され、銀イオン殺菌が行われる。この臀部洗浄に際し、ＵＶＬＥＤ３８を点灯させ、反射面３４ａで反射した紫外線を臀部にあて、紫外線殺菌する。【選択図】図２
2007039988.tif 000002
【特許請求の範囲】
【請求項１】
水を流出させるノズルと、該ノズルに供給される水に金属イオンを添加する金属イオン添加手段とを有する便器設備において、該便器設備の少なくとも一部に対して光を照射するための発光体を設けたことを特徴とする便器設備。
【請求項２】
請求項１において、該発光体は該ノズルの先端部から光を照射するように設けられていることを特徴とする便器設備。
【請求項３】
請求項２において、該発光体は、該ノズル内又はそれよりも上流側に設けられていることを特徴とする便器設備。
【請求項４】
請求項１ないし３のいずれか１項において、前記ノズルは人体洗浄用のノズルであることを特徴とする便器設備。
【請求項５】
請求項１ないし３のいずれか１項において、前記ノズルは便器、便座又は便蓋を洗浄するためのノズルであることを特徴とする便器設備。
【発明の詳細な説明】
【技術分野】
【０００１】
本発明は水を流出させるノズルを備えた便器設備に係り、特に水に金属イオンを添加する手段と、紫外線などの光を照射する手段とを備えた便器設備に関する。
【背景技術】
【０００２】
Ｉ．人体の臀部を温水で洗浄する温水洗浄装置において、水に銀イオンなどの金属イオンを添加することが特開２００１−２７９７８０号、同２００５−１０５７４１号に記載されている。
【０００３】
II．便鉢内面に光触媒層を設け、便座に紫外線光源を設け、この紫外線光源からの紫外線を便鉢内面に当てて臭気成分を光触媒作用により分解することが実開平５−１６８８１号の図４に記載されている。
【０００４】
特開平１１−７１８０３号の図５，６には、便鉢内面に光触媒を保持させ、紫外線光源を便蓋の下面もしくは便器リムの下面に設けることが記載されている。
【０００５】
特開２００１−６５０３５号公報の図５には、便鉢の底部（トラップ部）に紫外線殺菌灯を設けた便器が記載されている。また、同号公報の図７には、温水洗浄装置のノズルに向って紫外線を照射するように紫外線殺菌灯をノズルのカバー部に設けることが記載されている。
【特許文献１】特開２００１−２７９７８０号
【特許文献２】特開２００５−１０５７４１号
【特許文献３】実開平５−１６８８１号
【特許文献４】特開平１１−７１８０３号
【特許文献５】特開２００１−６５０３５号
【発明の開示】
【発明が解決しようとする課題】
【０００６】
本発明は、金属イオンによる殺菌効果と、光照射による作用とが重畳した便器設備を提供することを目的とする。
【課題を解決するための手段】
【０００７】
請求項１の便器設備は、水を流出させるノズルと、該ノズルに供給される水に金属イオンを添加する金属イオン添加手段とを有する便器設備において、該便器設備の少なくとも一部に対して光を照射するための発光体を設けたことを特徴とするものである。
【０００８】
請求項２の便器設備は、請求項１において、該発光体は該ノズルの先端部から光を照射するように設けられていることを特徴とするものである。
【０００９】
請求項３の便器設備は、請求項２において、該発光体は、該ノズル内又はそれよりも上流側に設けられていることを特徴とするものである。
【００１０】
請求項４の便器設備は、請求項１ないし３のいずれか１項において、前記ノズルは人体洗浄用のノズルであることを特徴とするものである。
【００１１】
請求項５の便器設備は、請求項１ないし３のいずれか１項において、前記ノズルは便器、便座又は便蓋を洗浄するためのノズルであることを特徴とするものである。
【発明の効果】
【００１２】
銀イオンなどの金属イオンを含んだ水が人体の臀部に当たれば殺菌作用を得ることができる。この金属イオンは光により活性化される。この活性化作用は、短波長光ほど強くなる。また、この水が便鉢等に当たれば、その表面や下流側のトラップや排水管などを清潔にすることができる。
【００１３】
本発明では、光を照射するので、この光が紫外線（ＵＶ）であればそれにより殺菌効果を得ることができる。便器等に光触媒を設けておけば、光がＵＶでなくても光触媒作用により防汚効果を得ることができる。
【００１４】
光をノズルから照射する場合、影の面積が小さくなる。発光体をノズル内又はそれよりも上流側に設けた場合には、ノズルから噴出する水に光を導波させ、光触媒作用及び金属イオンの殺菌作用を水の接触部位に及ぼすことができる。
【００１５】
本発明によれば、便器、便座、便蓋を効率よく、上記作用で防汚ないし殺菌するよう構成することができる。
【発明を実施するための最良の形態】
【００１６】
以下図面を参照して本発明の実施の形態について説明する。図１は実施の形態に係る便器設備を示す全体縦断面図、図２は温水洗浄装置のノズルを示す断面図である。
【００１７】
図１において、洋風便器１０の便鉢１２の底部にトラップ１４が設けられ、排水口１６がこのトラップ１４に後続して設けられている。便鉢１２には、ロータンク２０内の水が水路１８を介して供給される。
【００１８】
この洋風便器１０の後部上面には便座ボックス２２が設置され、便座２４と便蓋２６とが該便座ボックス２２に対し上下方向回動自在に取り付けられている。便鉢１２の内面と、便座２４の下面、上面、内周面及び外周面と、便蓋２６及び便座ボックス２２の下面にはそれぞれ光触媒のコーティング層が設けられている。
【００１９】
便座ボックス２２内には、便器使用者の臀部を温水で洗浄するためのノズル３０のほか、このノズル３０用の温水タンクや、臀部を乾燥させるための温風ファン等が設置されている。この実施の形態では、さらに、このノズルへの給水に銀イオンを添加するための電解装置も該便座ボックス２２内に設置されている。
【００２０】
ノズル３０は、シリンダ３２と、該シリンダ３２から前方に進出可能なノズル本体３４と、ノズル本体３４の先端の噴出口３６と、シリンダ３２内の後部に設けられたＵＶＬＥＤ３８と、該ノズル本体３４を後退方向に付勢するリターンスプリング等を有する。ノズル本体３４内の先端部には、ＵＶＬＥＤ３８からの紫外線を噴出口３６に向けて反射するための反射面３４ａが設けられている。ノズル本体３４及びシリンダ３２の外面及び内面には光触媒のコーティング層が設けられている。
【００２１】
このノズル３０は、ノズル支持装置５０によって支持されている。このノズル支持装置５０は、ノズル３０の向きを上下左右方向に変えることができると共に、ノズル３０をその軸心線回りに回動させ、噴出口３６ａからの水の噴出方向を上向きだけでなく横向き、斜め上向き、斜め下向き、下向きのいずれにもしうるようになっている。
【００２２】
このように構成された便器設備において、ノズル３０によって人体臀部を温水で洗浄するときには、ノズル３０の噴出口３６を上向きの状態とし、シリンダ３２へ温水を供給し、図２のようにノズル本体３４を前進させ、噴出口３６から温水を上方に噴出させる。この際、銀イオン添加手段を作動させると、銀イオンを含んだ温水で臀部が洗浄され、銀イオン殺菌が行われる。この臀部洗浄に際し、ＵＶＬＥＤ３８を点灯させ、反射面３４ａで反射した紫外線を臀部にあて、紫外線殺菌してもよい。なお、ＵＶにより銀イオンが活性化され、殺菌作用が強化される。
【００２３】
このように人体に紫外線を当てるときには、紫外線の波長は３４０〜３８０ｎｍ程度であることが望ましい。温水供給を停止すると、リターンスプリングの付勢力によりノズル本体３４が後退する。ノズル本体３４が後退した状態にあっては、ＵＶＬＥＤ３８は消灯していることが望ましい。
【００２４】
ＵＶＬＥＤ３８から便鉢１２の内面等に紫外線を照射する場合には、まずノズル３０の噴出口が下向きとなるようにノズル３０を回転させた後、ノズル３０に温水を供給してノズル本体３４を前進させると共に、ＵＶＬＥＤ３８に通電する。ＵＶＬＥＤ３８からの紫外線が反射面３４ａで反射され、噴出口３６から外部に照射される。これにより、便鉢１２の内面の下面に直接的に紫外線が照射される。また、溜水面や便鉢１２の内面で反射した紫外線が便鉢２６や便座２４に照射される。この紫外線照射により、殺菌作用が奏されると共に、光触媒が励起し、有機物分解作用（防汚作用）が奏される。さらに、銀イオンによって殺菌作用が奏されると共に、ＵＶにより銀イオンが活性化され、殺菌作用が強化される。また、銀イオンを添加したノズル噴出水を便鉢１２の内面に注ぎかけることにより、便鉢１２の内面に銀イオンを付着させ、殺菌効果を与えることができる。
【００２５】
この便鉢１２の内面への紫外線照射を行う場合、ノズル３の噴出口３６の方向を斜め下向きとしてもよい。また、左斜め下向き、下向き、右斜め下向きの間で揺動するように連続的に向きを変えてもよい。このようにすれば、便鉢内面の広い範囲に紫外線を照射することができる。また、便鉢１２の内面や溜水面で反射した紫外線が便座２４、便蓋２６の広い範囲に照射される。
【００２６】
なお、銀イオン添加手段、発光体にはそれぞれＯＮ，ＯＦＦ制御装置が設けられている。その結果、銀イオンの溶出のみの場合、発光のみの場合があり得る。
【００２７】
上記のノズル３０は、シャワーノズルであってもよく、ビデノズルであってもよい。
【００２８】
ノズル３０は、水圧による前進駆動方式以外のものであってもよい。例えば、エアー圧駆動方式や、モータ駆動方式、リニア駆動方式、あるいはこれらの複合式のものなどであってもよい。水圧によらない方式の場合、ノズル３０から温水を噴出させることなく、紫外線のみを照射することができる。
【００２９】
図１では、便器にロータンク２０が設置されているが、ロータンクカバーを備えた機種や、ロータンクのない機種の便器にも本発明を適用することができる。
【００３０】
図１，２ではＵＶＬＥＤ３８をノズル３０に設けているが、それよりも上流側に設けてもよい。図３，４はそれぞれそのような実施の形態を示す系統図である。
【００３１】
図３，４では、ノズル３０Ａとして、ノズル３０からＵＶＬＥＤを取り外した他は同一構成のものを用いている。
【００３２】
図３では、このノズル３０Ａの給水口に対し、水が電解ユニット４０、配管４２、温水タンク４４及び配管４６を介して導入される。電解ユニット４０には、銀イオンを水中に溶解させるための電極４１が設けられている。温水タンク４４には、ヒータ４４ａとＵＶＬＥＤ３８とが設けられている。このＵＶＬＥＤ３８からの紫外線は、水によって導波されてノズル３０Ａ内に導入され、ノズル本体３４の噴出口から外部に照射される。
【００３３】
図４では、電解ユニット４０が省略され、代りに温水タンク４４Ａに銀イオン添加用電極４１が設けられている。この場合も、ＵＶＬＥＤ３８からの紫外線は、水によって導波されてノズル３０Ａ内に導入され、ノズル本体３４の噴出口から外部に照射される。
【００３４】
上記実施の形態では光触媒を用いているので、紫外線の代わりに可視光を発光させてもよい。ただし、紫外線を照射することにより光触媒反応がより十分に進行すると共に、銀イオンが活性化される。
【００３５】
本発明では、ノズルからの水を便座や便蓋に注ぎかけてこれらを洗浄するようにしてもよい。この場合、金属イオン、光照射を組み合わせることにより、それぞれの効果に加え、金属イオンを光で活性化させる作用も奏される。
【図面の簡単な説明】
【００３６】
【図１】実施の形態に係る便器設備の縦断面図である。
【図２】図１の便器設備の温水洗浄装置のノズルの断面図である。
【図３】別の実施の形態に係る便器設備の給水系統図である。
【図４】さらに別の実施の形態に係る便器設備の給水系統図である。
【符号の説明】
【００３７】
１０  洋風便器
１２  便鉢
１４  トラップ
２０  ロータンク
２２  便座ボックス
２４  便座
２６  便蓋
３０  ノズル
３２  シリンダ
３４  ノズル本体
３６  噴出口
３８  ＵＶＬＥＤ
４４  温水タンク
【図１】
2007039988.tif 000003
【図２】
2007039988.tif 000004
【図３】
2007039988.tif 000005
【図４】
2007039988.tif 000006